(57)【要約】【課題】下水汚泥由来の独特の臭気を抑制し、且つ固形燃料として商品価値が高い下水汚泥を主成分とする固形燃料及びその製造装置を提供すること。【解決手段】下水汚泥を、木酢液の存在下で、加熱乾燥することで下水汚泥由来の独特の臭気を抑制し、且つ固形燃料として商品価値が高い下水汚泥を主成分とする固形燃料を得る。【選択図】図１
2008297340.tif 000002
【特許請求の範囲】
【請求項１】
下水汚泥を、加熱乾燥することで得られる下水汚泥を主原料とする固形燃料であって、
前記下水汚泥を、木酢液の存在下で、加熱乾燥することで得られることを特徴とする下水汚泥を主原料とする固形燃料。
【請求項２】
前記下水汚泥に木質系バイオマスを添加して混合し、
前記下水汚泥と木質系バイオマスの混合物を、木質系バイオマスから木酢液が抽出される温度であり且つ下水汚泥中を加熱乾燥して得られることを特徴とする請求項１記載の下水汚泥を主原料とする固形燃料。
【請求項３】
前記下水汚泥に木酢液を添加して混合し、
前記下水汚泥と木酢液の混合物を、加熱乾燥して得られることを特徴とする請求項１記載の下水汚泥を主原料とする固形燃料。
【請求項４】
請求項１〜３何れかの下水汚泥を主原料とする固形燃料を、木質系バイオマスから発生するテルペン類含有蒸気と接触させて得られることを特徴とする下水汚泥を主原料とする固形燃料。
【請求項５】
下水汚泥を加熱乾燥する乾燥機と、該乾燥機に下水汚泥を供給する供給手段とを有し、前記乾燥機は下水汚泥を加熱乾燥して固形燃料とする下水汚泥を主成分とする固形燃料製造装置であって、
前記下水汚泥を木質系バイオマスと混合する混合手段を備え、
前記供給手段は、前記混合手段で得られる下水汚泥と木質系バイオマスの混合物を前記乾燥機に供給し、
前記乾燥機は、前記下水汚泥と木質系バイオマスの混合物を、木質系バイオマスから木酢液が抽出される温度であり且つ下水汚泥中を加熱乾燥することを特徴とする下水汚泥を主成分とする固形燃料製造装置。
【請求項６】
下水汚泥を加熱乾燥する乾燥機と、該乾燥機に下水汚泥を供給する供給手段とを有し、前記乾燥機は下水汚泥を加熱乾燥して固形燃料とする下水汚泥を主成分とする固形燃料製造装置において、
前記下水汚泥を木酢液と混合する混合手段を備え、
前記供給手段は、前記混合手段で得られる下水汚泥と木酢液の混合物を前記乾燥機に供給し、
前記乾燥機は、前記下水汚泥と木酢液の混合物を、加熱乾燥することを特徴とする下水汚泥を主成分とする固形燃料製造装置。
【請求項７】
木質系バイオマスを加熱してテルペン類含有蒸気を発生させる手段と、
前記テルペン類含有蒸気と、前記乾燥機で加熱乾燥して得られる下水汚泥を主成分とする固形燃料とを接触させる手段とを有することを特徴とする請求項５又は６記載の下水汚泥を主成分とする固形燃料製造装置。
【請求項８】
前記テルペン類含有蒸気を発生させる手段は、前記乾燥機で下水汚泥を加熱乾燥した廃熱を利用して木質系バイオマスを加熱することを特徴とする請求項７記載の下水汚泥を主成分とする固形燃料製造装置。
【発明の詳細な説明】
【技術分野】
【０００１】
本発明は、下水汚泥を主原料とする固形燃料及びその製造装置に関するものであり、詳しくは下水汚泥由来の独特の臭気を抑制し、且つ固形燃料としての商品価値が高い下水汚泥を主成分とする固形燃料及びその製造装置に関するものである。
【背景技術】
【０００２】
従来、下水処理場等で発生する下水汚泥は、そのほとんどが焼却又は埋め立てによって処分されてきたが、近年下水汚泥の熱エネルギーを有効利用し、地球温暖化対策に貢献する技術が求められている。
しかしながら、下水汚泥は例えばアンモニア、硫化水素、トリメチルアミン、メチルメルカプタン等の臭気成分を含み、下水汚泥を乾燥させた乾燥汚泥は臭気が強いため、搬送や保管等の作業環境に悪影響を及ぼしてしまい、燃料として使用することは難しい。
【０００３】
そこで、下水汚泥由来の独特の臭気を抑制し、下水汚泥を燃料化する技術として例えば特許文献１には、下水汚泥を乾燥して乾燥汚泥とした後、該乾燥汚泥の一部を炭化処理して汚泥活性炭とし、該汚泥活性炭と未処理の乾燥汚泥を混合し、必要に応じて生石灰又は消石灰を添加して固形燃料を得る技術が開示されている。
【０００４】
また、特許文献２には、下水汚泥に悪臭を実質上消臭するために必要な量の鉄分含有スラッジを混合し、次に、前記混合物に生石灰を加えて混合し発熱させ、該混合物を乾燥して下水汚泥処理材を得る技術が開示されている。
【０００５】
さらに、特許文献３には、含水率を０〜５０％に乾燥した下水汚泥を、２５０〜５００℃で炭化処理し、その後に廃油、廃油残渣と混合せしめて造粒処理して固形燃料とする技術が開示されている。
【０００６】
【特許文献１】特開平１１−３２３３５９号公報
【特許文献２】特開２００１−４７０９３号公報
【特許文献３】特開２００６−１５２０９７号公報
【発明の開示】
【発明が解決しようとする課題】
【０００７】
しかしながら、特許文献１に開示された技術は、乾燥汚泥の一部を炭化するために炭化設備が必要となり、設備設置コストが大きくなる。また炭化をする際に汚泥自身が保有するエネルギーを使用するため、得られる固形燃料の発熱量は低いものとなり、燃料としての価値が低下する。
【０００８】
また、特許文献２に開示された技術は、悪臭を抑制するために無機成分である鉄分を加えるため、得られる下水汚泥固形燃料の発熱量が低下し、従って燃料としての価値が低下する。
【０００９】
また、特許文献３に開示された技術は、炭化をする際に汚泥自身が保有するエネルギーを使用するため、得られる固形燃料の発熱量は低いものとなり、燃料としての価値が低下する。さらに、乾燥、炭化、及び造粒処理をするため、設備設置コストが大きくなる。
【００１０】
従って、本発明はかかる従来技術の問題に鑑み、下水汚泥由来の独特の臭気を抑制し、且つ固形燃料として商品価値が高い下水汚泥を主成分とする固形燃料及びその製造装置を提供することを目的とする。
【課題を解決するための手段】
【００１１】
上記課題を解決するため本発明においては、下水汚泥を、加熱乾燥することで得られる下水汚泥を主原料とする固形燃料であって、前記下水汚泥を、木酢液の存在下で、加熱乾燥することで得られることを特徴とする。
本発明によれば、下水汚泥を木酢液の存在下で加熱乾燥することで、木酢液に含まれる酢酸等の酸が、活性汚泥の臭気成分の主要成分であり塩基であるアンモニアと反応して中和し、臭気が抑制される。一般に下水汚泥中の臭気成分はアンモニア濃度が最も高く、アンモニアを中和することによって減少させることによる臭気の抑制効果は大きい。
さらに例えば硫化水素、トリメチルアミン、メチルメルカプタン等の塩基以外の臭気成分は、木酢液中の酢酸等の酸によって中和されることはないが、木酢液によるマスキング効果によって臭気は抑制される。
即ち、下水汚泥の臭気成分中の塩基成分が中和によって臭気が抑制されるとともに、塩基以外の成分がマスキング効果によって臭気が抑制されるため、臭気が抑制された固形燃料となる。
また、木酢液は有機分であるため、木酢液を添加することによって、固形燃料の燃料価値が下がることも無い。
【００１２】
また、前記下水汚泥に木質系バイオマスを添加して混合し、前記下水汚泥と木質系バイオマスの混合物を、木質系バイオマスから木酢液が抽出される温度であり且つ下水汚泥を加熱乾燥して得られることを特徴とする。
木質系バイオマスとしては例えば林地残材、間伐材、製剤廃材、廃木材、古紙などが挙げられるが、木質系バイオマスであればその他のものを使用することができる。また、加熱乾燥温度としては、木質系バイオマスから木酢液がもっとも多く発生する３００〜４００℃とすることが好ましい。
【００１３】
本発明によれば、前記下水汚泥の臭気成分中の塩基成分の中和及び塩基以外の成分のマスキング効果による臭気の抑制が可能であることに加えて、木質系バイオマスからの木酢液の抽出と下水汚泥の加熱乾燥を同時に行うことができるため、木酢液を抽出するための設備が必要なく設備設置コストを低く抑えることが可能である。
【００１４】
また、前記下水汚泥に木酢液を添加して混合し、前記下水汚泥と木酢液の混合物を、前記下水汚泥を加熱乾燥して得られることを特徴とする。
下水汚泥中の成分によっては、前記木酢液が木質系バイオマスから抽出される温度（例えば３００〜４００℃）では自己発熱性を有する場合もある。
本発明によれば、加熱乾燥温度を木酢液が木質系バイオマスから抽出される温度まで加熱する必要がないため、木酢液が木質系バイオマスから抽出される温度では自己発熱性を有する下水汚泥を用いても、下水汚泥を主原料とした固形燃料を得ることができる。
なお、木酢液は、木質系バイオマスから木酢液を抽出する木酢液製造装置を設けることで得てもよく、市販の木酢液を使用してもよい。
【００１５】
また、下水汚泥を主原料とする固形燃料を、木質系バイオマスから発生するテルペン類含有蒸気と接触させて得られることを特徴とする。
本発明によれば、テルペン類（Ｃ５Ｈ８）ｎと接触させることによって、テルペン類によるアンモニアの中和、マスキング効果によってさらに臭気の抑制効果が高くなる。
【００１６】
また、下水汚泥を加熱乾燥する乾燥機と、該乾燥機に下水汚泥を供給する供給手段とを有し、前記乾燥機は下水汚泥を加熱乾燥して固形燃料とする下水汚泥を主成分とする固形燃料製造装置であって、前記下水汚泥を木質系バイオマスと混合する混合手段を備え、前記供給手段は、前記混合手段で得られる下水汚泥と木質系バイオマスの混合物を前記乾燥機に供給し、前記乾燥機は、前記下水汚泥と木質系バイオマスの混合物を、木質系バイオマスから木酢液が抽出される温度であり且つ下水汚泥を加熱乾燥することを特徴とする。
このことにより、木酢液中の酢酸等の酸によって下水汚泥の臭気成分中の塩基成分を中和して削減するとともに、塩基以外の臭気成分を木酢液のマスキング効果によって臭気を抑制した下水汚泥を主成分とする固形燃料を製造することができる。さらに、木質系バイオマスからの木酢液の抽出と下水汚泥の加熱乾燥を同時に行うことができるため、木酢液を抽出するための設備が必要なく設備設置コストを低く抑えることが可能である。
【００１７】
また、下水汚泥を加熱乾燥する乾燥機と、該乾燥機に下水汚泥を供給する供給手段とを有し、前記乾燥機は下水汚泥を加熱乾燥して固形燃料とする下水汚泥を主成分とする固形燃料製造装置において、前記下水汚泥を木酢液と混合する混合手段を備え、前記供給手段は、前記混合手段で得られる下水汚泥と木酢液の混合物を前記乾燥機に供給し、前記乾燥機は、前記下水汚泥と木酢液の混合物を、加熱乾燥することを特徴とする。
下水汚泥中の成分によっては、木酢液が木質系バイオマスから抽出される温度（例えば３００〜４００℃）では自己発熱性を有する場合もある。本発明によれば、加熱乾燥温度を木酢液が木質系バイオマスから抽出される温度まで加熱せずに固形燃料を製造することができるため、木酢液が木質系バイオマスから抽出される温度では自己発熱性を有する下水汚泥であっても、下水汚泥を主原料とした固形燃料を製造することができる。
なお、木酢液は、木質系バイオマスから木酢液を抽出する木酢液製造装置を設けることで得てもよく、市販の木酢液を使用してもよい。
【００１８】
木質系バイオマスを加熱してテルペン類含有蒸気を発生させる手段と、前記テルペン類含有蒸気と、前記乾燥機で加熱乾燥して得られる下水汚泥を主成分とする固形燃料とを接触させる手段とを有することを特徴とする。
このことにより、テルペン類（Ｃ５Ｈ８）ｎと接触させることによって、テルペン類によるアンモニアの中和、マスキング効果によってさらに臭気の抑制効果が高くなる。
【００１９】
前記テルペン類含有蒸気を発生させる手段は、前記乾燥機で下水汚泥を加熱乾燥した廃熱を利用して木質系バイオマスを加熱することを特徴とする。
このことにより、乾燥機での廃熱を有効利用することができ、装置のランニングコストを低く抑えることができる。
【発明の効果】
【００２０】
以上記載のごとく本発明によれば、下水汚泥由来の独特の臭気を抑制し、且つ固形燃料として商品価値が高い下水汚泥を主成分とする固形燃料及びその製造装置を提供することができる。
【発明を実施するための最良の形態】
【００２１】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００２２】
図１に本実施例１に係る下水汚泥を主原料とする固形燃料製造装置の構成図を示す。本実施例に係る下水汚泥を主原料とする固形燃料装置は、下水汚泥と木質系バイオマスである木材チップを混合しながら搬送する２軸スクリューコンベヤ３と、前記２軸スクリューコンベヤ３で混合された下水汚泥と木材チップの混合物を乾燥機に定量的に供給するスクリューコンベヤ４と、乾燥機５と、木質系バイオマスである木皮及び葉を加熱してテルペン類（Ｃ５Ｈ８）ｎ含有蒸気を発生させる加熱器７と、前記乾燥機５で得られる乾燥汚泥を前記テルペン類（Ｃ５Ｈ８）ｎ含有蒸気と接触させる脱臭装置６と、から主構成されている。
【００２３】
次に本実施例１に係る下水汚泥を主原料とする固形燃料製造装置のフローを、図１に基づいて各装置の具体的構成とともに説明する。
供給設備２により下水汚泥は２軸スクリューコンベヤ３に供給される。一方、木材チップも２軸スクリューコンベヤ３に供給される。本実施例においては木材チップを２軸スクリューコンベヤ３に供給するが、木材チップの代わりに他の木質系バイオマスを供給してもよい。下水汚泥及び木材チップは、２軸スクリューコンベヤ３で混合されながら搬送されて、スクリューコンベヤ４で定量的に乾燥機５に投入される。
【００２４】
乾燥機５は、間接加熱により炉内を加熱する外熱式ロータリーキルンである。該乾燥機５は、炉の周囲に加熱ジャケットが設けられ、加熱ジャケットにボイラ８より高温ガスを流通させて乾燥機５内の下水汚泥及び木材チップを加熱する装置である。
乾燥機５では、木材チップから木酢液が抽出される温度にて下水汚泥を加熱乾燥する。木酢液が抽出される温度としては、木材チップから最も多く木酢液が抽出される３００〜４００℃が好ましい。
このように乾燥機５で木酢液が抽出される温度で加熱乾燥することで、木材チップから木酢液が抽出され、木酢液中の酢酸等の酸が、下水汚泥の臭気成分の主要成分であり塩基であるアンモニアと反応して中和し、臭気が抑制される。さらに塩基以外の臭気成分（例えば硫化水素、トリメチルアミン、メチルメルカプタン等）は、木酢液中の酢酸等の酸と中和反応はしないが、木酢液によるマスキング効果によって臭気は抑制される。
【００２５】
乾燥機５で木材チップから木酢液が抽出される３００〜４００℃で乾燥されて得られた臭気を抑制された乾燥汚泥は、脱臭装置６に導かれ、後述する加熱器７で発生したテルペン類（Ｃ５Ｈ８）ｎ含有蒸気と接触する。脱臭装置６は、装置内に設けた傾斜面６１上を乾燥汚泥を通過させながら、該傾斜面６１に複数個設けた貫通孔を通じて下方よりテルペン類含有蒸気を接触させる装置である。
このように脱臭装置６で乾燥汚泥をテルペン類（Ｃ５Ｈ８）ｎ含有蒸気と接触させることで、テルペン類によるアンモニアの中和、マスキング効果によってさらに臭気を抑制している。
こうして脱臭装置６でテルペン類含有蒸気と接触した乾燥汚泥は下水汚泥を主成分とする固形燃料の製品となる。
なお、乾燥汚泥と接触させた後のテルペン類（Ｃ５Ｈ８）ｎ含有蒸気は、後述する排ガス処理装置５４にて処理する。
【００２６】
また、ボイラ８から乾燥機５の加熱ジャケットに供給された高温ガスは、乾燥機５で前記下水汚泥と乾燥ガスの混合物を加熱乾燥するために使用された後、ドレンとなって一部はボイラ８に戻され、残りは加熱器７へ供給される。
【００２７】
加熱器７は、木皮や葉などの木質系バイオマスを収容して加熱する蒸気発生室７２と、該蒸気発生室７２の周囲を囲堯し前記乾燥機５から供給されるドレンを流通して蒸気発生室７２内に伝熱する加熱室７１から主構成されている。蒸気発生室７２に収容された木皮や葉などの木質系バイオマスは、加熱室７１からの伝熱によって加熱されてテルペン類（Ｃ５Ｈ８）ｎ含有蒸気を発生する。発生したテルペン類（Ｃ５Ｈ８）ｎ含有蒸気は、前述の脱臭装置６へ供給される。
【００２８】
また、前記加熱室７を構成する蒸気発生室７２に収容され、テルペン類（Ｃ５Ｈ８）ｎ含有蒸気を発生した後の木皮や葉などの木質系バイオマスは、前記下水汚泥とともに２軸スクリューコンベヤ３に投入することで前記木材チップの少なくとも一部の代替として使用することができる。従って、加熱室７に収納された木皮や葉などの木質系バイオマスは、加熱室７でテルペン類（Ｃ５Ｈ８）ｎ含有蒸気を発生させた後、乾燥機で木酢液を抽出されるため、木材チップ消費量を少なく抑えることができコストを低減することができる。
【００２９】
また、前記乾燥機５で発生した排気ガスは、バグフィルタ５１に導入されて除塵された後、冷却機５２及び油水分離機５３によって冷却及び油水分離され、冷却機５２より排ガス処理装置５４に導入される。排ガス処理装置５４にて排ガスは清浄ガスに処理される。排ガス処理装置５４にて処理された排気ガスはファン５５によって一部を前記乾燥機５に戻すとともに大気へ放出する。
このように排ガス処理装置５４を用いて乾燥機５で発生する排気ガスを清浄ガスに処理することで、大気中に排気ガスを放出することができる。
【実施例２】
【００３０】
実施例１においては、乾燥機５で木酢液が抽出される温度（３００〜４００℃）まで加熱する必要がある。下水汚泥中の成分によってはこの温度では自己発熱性を有する場合があり、そのような下水汚泥から固形燃料を製造する場合には本実施例２を用いる。
【００３１】
図２に本実施例１に係る下水汚泥を主原料とする固形燃料製造装置の構成図を示し、図１と同一物は同一の符号で表す。即ち、本実施例に係る下水汚泥を主原料とする固形燃料装置は、下水汚泥と木質系バイオマスである木材チップを混合しながら搬送する２軸スクリューコンベヤ３と、前記２軸スクリューコンベヤ３で混合された下水汚泥と木材チップの混合物を乾燥機に定量的に供給するスクリューコンベヤ４と、乾燥機５と、木質系バイオマスである木皮及び葉を加熱してテルペン類（Ｃ５Ｈ８）ｎ含有蒸気を発生させる加熱器７と、前記乾燥機５で得られる乾燥汚泥を前記テルペン類（Ｃ５Ｈ８）ｎ含有蒸気と接触させる脱臭装置６から主構成されている。
【００３２】
次に本実施例２に係る下水汚泥を主原料とする固形燃料製造装置のフローを、図２に基づいて各装置の具体的構成とともに説明する。
まず、木酢液製造装置１で木酢液が製造される。
【００３３】
前記木酢液製造装置１で製造された木酢液は、２軸スクリューコンベヤ３に供給される。本実施例においては木酢液製造装置１で製造された木酢液を２軸スクリューコンベヤ３に供給するが、木酢液製造装置１で製造された木酢液の代わりに市販の木酢液を使用してもよい。
一方、下水汚泥は供給設備２により２軸スクリューコンベヤ３に供給される。２軸スクリューコンベヤ３に供給された下水汚泥及び木酢液は、混合されながら搬送されて、スクリューコンベヤ４で定量的に乾燥機５に投入される。
【００３４】
乾燥機５は、間接加熱により炉内を加熱する外熱式ロータリーキルンである。該乾燥機５は、炉の周囲に加熱ジャケットが設けられ、加熱ジャケットにボイラ８より高温ガスを流通させて乾燥機５内の下水汚泥を加熱する装置である。
乾燥機５では、下水汚泥を加熱乾燥する。加熱乾燥温度は１００〜３００℃程度が好ましい。
このように乾燥機５で加熱乾燥することで、木酢液中の酢酸等の酸が、下水汚泥の臭気成分の主要成分であり塩基であるアンモニアと反応して中和し、臭気が抑制される。さらに塩基以外の臭気成分（例えば硫化水素、トリメチルアミン、メチルメルカプタン等）は、木酢液中の酢酸等の酸と中和反応はしないが、木酢液によるマスキング効果によって臭気を抑制される。
【００３５】
乾燥機５で乾燥されて得られた臭気を抑制された乾燥汚泥は、脱臭装置６に導かれ、加熱器７で発生したテルペン類（Ｃ５Ｈ８）ｎ含有蒸気と接触する。脱臭装置６は、装置内に設けた傾斜面６１上を乾燥汚泥を通過させながら、該傾斜面６１に複数個設けた貫通孔を通じて下方よりテルペン類含有蒸気を接触させる装置である。
このように脱臭装置６でテルペン類（Ｃ５Ｈ８）ｎ含有蒸気と接触させることで、テルペン類によるアンモニアの中和、マスキング効果によってさらに臭気を抑制している。
こうして脱臭装置６でテルペン類含有蒸気と接触した乾燥汚泥は下水汚泥を主成分とする固形燃料の製品となる。
【００３６】
また、テルペン類（Ｃ５Ｈ８）ｎ含有蒸気を発生させる加熱器７及び乾燥機５で発生する排気ガスを処理するバグフィルタ５１、冷却機５２、油水分離器５３、排ガス処理装置５４については実施例１と同様である。
【産業上の利用可能性】
【００３７】
下水汚泥由来の独特の臭気を抑制し、且つ固形燃料として商品価値が高い下水汚泥を主成分とする固形燃料及びその製造装置として利用することができる。
【図面の簡単な説明】
【００３８】
【図１】実施例１に係る下水汚泥を主原料とする固形燃料製造装置の構成図である。
【図２】実施例２に係る下水汚泥を主原料とする固形燃料製造装置の構成図である。
【符号の説明】
【００３９】
１      木酢液製造装置
２      供給設備
３      ２軸スクリューコンベヤ（混合手段）
４      スクリューコンベヤ
５      乾燥機
６      脱臭装置
７      加熱器
５４    排ガス処理装置
【図１】
2008297340.tif 000003
【図２】
2008297340.tif 000004